(57)【要約】【課題】アンテナ製造時において、ブーム管内の中央位置にあるリブ３のリブ孔３ａにアンテナ素子６を貫通させ、アンテナ素子６の管内のほぼ中間位置にあるリブ孔３ａの孔縁を変形させてその孔縁３ａによりアンテナ素子の中間部を固着するようにすることにより、その加工精度は楽になり、加工能率が上がるようにしたアンテナを提供する。【解決手段】中空のブーム２の内側にはリブ３を備えさせ、中空ブーム２の管壁には、軸心方向に適当な間隔を隔てて、中空管状のアンテナ素子６を、ブームの軸線に直交する方向に貫通させて備えさせ、かつ、上記アンテナ素子６はリブに設けた貫通孔３ａを貫通させ、アンテナ素子６における上記リブ孔３ａに近い孔縁を変形させることにより、アンテナ素子の外周面を上記リブの孔縁３ａに圧接させて上記アンテナ素子が抜け止めされるようにした。【選択図】　　　　図１
2004120434.tif 000002
【特許請求の範囲】
【請求項１】
中空のブームの内側には上記ブームの軸線方向に伸びるリブを備え、そのリブの巾は中空のブームの軸心を通って両側の管壁にまで延び、かつ管壁に一体的に連結されており、中空ブームの管壁には、軸心方向に適当な間隔を隔てて、中空管状のアンテナ素子をブームの軸線に直交する方向に貫通させる為の二個一対の管壁孔を備え、上記管壁孔相互間に存在するリブにおいても中空管状のアンテナ素子を貫通させる為のリブ孔を備えさせ、上記二個の管壁孔と、上記リブ孔には中空管状のアンテナ素子を貫通させ、上記中空管状のアンテナ素子が貫通するリブ孔の孔縁に近いリブを変形させることによって、リブ孔の孔縁の形状を変形させて上記中空管状のアンテナ素子における外周面に上記リブの孔縁を圧接させて上記アンテナ素子が抜け止めされるようにしたことを特徴とするアンテナ。
【請求項２】
中空のブームの内側には上記ブームの軸線方向に伸びるリブを備え、そのリブの巾は中空のブームの軸心を通って両側の管壁にまで延び、かつ管壁に一体的に連結されており、中空ブームの管壁には、軸心方向に適当な間隔を隔てて、中空管状のアンテナ素子をブームの軸線に直交する方向に貫通させる為の二個一対の管壁孔を備え、上記管壁孔相互間に存在するリブにおいても中空管状のアンテナ素子を貫通させる為のリブ孔を備えさせ、次に上記二個の管壁孔と、上記リブ孔には中空管状のアンテナ素子を貫通させ、上記中空管状アンテナ素子の管壁における上記リブと、リブとの間に表出する外周面を外部より押圧して変形させ、又は上記リブと、リブとの間に表出する外周面のみを外部より押圧して変形させて、アンテナ素子における変形した外周面を上記リブの孔縁に圧接させて上記アンテナ素子が抜け止めされるようにしたことを特徴とするアンテナの製法。
【発明の詳細な説明】
【０００１】
【発明の属する技術分野】
本発明は、例えばＵＨＦ、その他の通信信号の送受をする場合に、ブームの軸線方向に適当な間隔を隔てて複数個の貫通孔を備えさせ、その貫通孔に対して、パイプ状のアンテナ素子を貫通させた状態で固定させて利用出来る形式のアンテナに関するものである。
【０００２】
【従来の技術】
従来より、ブームの軸線方向に適当な間隔を隔てた位置に、夫々ブームの軸線に対して直交する方向に向けた複数個の貫通孔を備えるブームに対し、上記複数個の貫通孔の夫々にパイプ状のアンテナ素子を貫通させ、これらのアンテナ素子をブームに夫々固定させることによってアンテナを製造する方法は広く知られている（例えば、特許文献１参照）。
上記従来の固定手段は、アンテナ素子の管内に可塑性材料で形成されている金属製の中空管を挿入し、それをブームの軸線を中心として位置させ、その中空管内に両側から棒状治具の先端を挿入し、両側から加圧することにより中空管の入口を半径方向に変形させて、その変形作用によりアンテナ素子におけるブーム内の管壁の全周を夫々径方向に拡張させてブームの貫通孔の内側の孔縁に圧接させることによりアンテナ素子をブームに固定させる手段を用いている。
【０００３】
【特許文献１】
特開昭５７−１１５００１号公報（図３，図６）
【特許文献２】
実開昭５７−２７０７号公報（図３）
【０００４】
【発明が解決しようとする課題】
この従来のアンテナの製造方法では、中空管における両端の管口の拡張の度合が、中空管における中央部における拡張の度合よりも大きくなり、必然、アンテナ素子におけるブーム内の管壁における孔縁近くの管壁が急激な角度でもって径方向に局部的に拡張される。このように管壁の一部が局部的に拡張されると経時使用によって、そこが繰返し曲げ荷重を集中的に受けて傷む等、耐久性に欠ける問題点があった。また一つのアンテナ素子に対して一つの中空管を消耗品として必要とする為部品コストが嵩み生産コストを高める問題点もあった。
そこで上記消耗品を節約する為に、アンテナ素子におけるブーム内の管壁における孔縁近くの管壁を消耗品を用いることなく機械的に膨出させる手段として図６に示されるものがある（例えば、特許文献２参照）。
【０００５】
このような公知の手段により製造されるアンテナは、製造時において、ブーム２の管内にアンテナ素子６を貫通させ、アンテナ素子６をブーム２に固着させる作業は、棒状治具１４，１４の夫々の先端における傾斜状態の対向面１５，１５を図６（Ａ）の準備状態に成し、次に、棒状治具１４，１４の夫々の先端における傾斜状態の対向面１５，１５を、図６（Ｂ）の位置にまで両側から前進させる。すると傾斜状態の対向面１５，１５の重なりが大きくなることにより、そこの対向面１５，１５の重なり部分の外周が大きくなり、アンテナ素子６の内径を図示のように膨らます。しかしかかる作業において対向面１５，１５の間にゴミ１６が介在した場合には、対向面１５，１５の重なり部分の外周が予定寸法よりも大きくなり、図示のようにブーム管壁４の孔縁４ｂ近くに形成予定の膨出部７ａの膨出量が、予定したよりも大きく突出し、ブームの管壁の孔縁４ｂ近くにおいてアンテナ素子６の管壁７を破損させる問題点があった。
また、傾斜状態の対向面１５，１５の重なりが予定よりも少ない場合には、アンテナ素子６の膨出部７ａがブーム２の管壁の孔縁４ｂ近くに突出せず、予定した場所よりもブーム２の管内の中間部寄りに膨出部７ａが突出する。すると膨出部７ａがブームの孔縁４ｂの内側に接しないで離れ、アンテナ素子は固着されず、軸芯方向にずれ、不良品発生率を高める問題点があった。
【０００６】
また、予定通りブーム２の管壁の孔縁４ｂ近くに膨出部７ａを突出させ、アンテナ素子６を固着したものであっても、アンテナが暴風雨に晒されて、ブーム２とアンテナ素子６が暴風雨による振動を受けたとき、ブーム２から突出するアンテナ素子はブームの管壁の孔縁４ｂ近くを支点として振動する。
このことは、アンテナ素子が共振現象により、上記孔縁４ｂ近くを支点として繰返し曲げ荷重を受けると、アンテナ素子の管壁は金属疲労によって局部的に傷み、折損する問題点があった。
【０００７】
本件出願のアンテナは、上記従来技術の問題点を解決する為に提供するものである。
本件出願の目的は、ブームに対し、アンテナ素子を固定した状態においてその固定部分が外部からは見ることができず、外観的に美しい状態で固着されたアンテナを提供しようとするものである。
本件出願の目的は、ブームの管内における中央部分に存在するリブに孔を穿ち、上記リブ孔には中空管状のアンテナ素子を貫通させ、そのアンテナ素子の外周面、又はそれに近いリブを変形させることによって、リブ孔の内側と上記中空管状のアンテナ素子における外周面とを相対的に圧接させて上記アンテナ素子が抜け止めされるようにしたものである。
そうすることによって、アンテナ製造時において、ブームの管内にアンテナ素子を貫通させ、アンテナ素子をブームに固着させる作業のとき、ラフな加工精度でもって両者の結合を行うことができ、もって加工能率が上がるように構成したアンテナを提供しようとするものである。
【０００８】
他の目的は、ブーム管内の中間部にあるリブに対して、素子の中間を貫通させ、かつ、その挿通部において、そこのリブ孔の内側と上記中空管状のアンテナ素子における外周面とを相対的に圧接させて両者を固着することにより、その固着部分がブーム管内の中間部に位置するようにする。このようにすることにより、アンテナが暴風雨に晒されてアンテナ素子が暴風雨により共振的な振動を受けたときでも、ブームから突出するアンテナ素子の元部の止付部分は、ブーム管内の中央部に位置させておき、その止付部分から離れた管壁における孔縁でアンテナ素子の途中を受け止め、共振現象を柔らかなものにして、アンテナ素子におけるブームの管壁孔縁近くの損傷を防ぎ、アンテナ素子の寿命を高いものにすることのできるアンテナを提供しようとするものである。
他の目的及び利点は図面及びそれに関連した以下の説明により容易に明らかになるであろう。
【０００９】
【課題を解決するための手段】
本願発明におけるアンテナは、中空のブームの内側には上記ブームの軸線方向に伸びるリブを備え、そのリブの巾は中空のブームの軸心を通って両側の管壁にまで延び、かつ管壁に一体的に連結されており、中空ブームの管壁には、軸心方向に適当な間隔を隔てて、中空管状のアンテナ素子をブームの軸線に直交する方向に貫通させる為の二個一対の管壁孔を備え、上記管壁孔相互間に存在するリブにおいても中空管状のアンテナ素子を貫通させる為のリブ孔を備えさせ、上記二個の管壁孔と、上記リブ孔には中空管状のアンテナ素子を貫通させ、上記中空管状のアンテナ素子が貫通するリブ孔の孔縁に近いリブを変形させることによって、リブ孔の孔縁の形状を変形させて上記中空管状のアンテナ素子における外周面に上記リブの孔縁を圧接させて上記アンテナ素子が抜け止めされるようにしたものである。
また、アンテナの製法として、中空のブームの内側には上記ブームの軸線方向に伸びるリブを備え、そのリブの巾は中空のブームの軸心を通って両側の管壁にまで延び、かつ管壁に一体的に連結されており、中空ブームの管壁には、軸心方向に適当な間隔を隔てて、中空管状のアンテナ素子をブームの軸線に直交する方向に貫通させる為の二個一対の管壁孔を備え、上記管壁孔相互間に存在するリブにおいても中空管状のアンテナ素子を貫通させる為のリブ孔を備えさせ、次に上記二個の管壁孔と、上記リブ孔には中空管状のアンテナ素子を貫通させ、上記中空管状アンテナ素子の管壁における上記リブと、リブとの間に表出する外周面を外部より押圧して変形させ、又は上記リブと、リブとの間に表出する外周面のみを外部より押圧して変形させて、アンテナ素子における変形した外周面を上記リブの孔縁に圧接させて上記アンテナ素子が抜け止めされるようにしたものである。
【００１０】
【発明の実施の形態】
以下本願発明の実施の形態を示す図面について説明する。図１乃至図４において、１はＶＨＦ〜ＵＨＦ波などの任意の通信信号（画像信号を含む）の送受に利用される周知のアンテナを示す。
２は、周知のようにアルミニウム或は合成樹脂などによって形成された断面が丸（又は図５に示されるように多角形状）の中空のブームを示し、通常建造物の上に樹立させたマストの上方に装着され、通信の送受の方向に向けて配置される。図１、図２、図３、図５に示される中空のブーム２の内側には、図示されるようにブームの軸線方向に伸びるリブ３を備え、そのリブ３の巾は中空のブームの軸心を通って両側の管壁４にまで延び、かつ管壁４に一体的に連結されている。このように内部にリブ３を備えるブーム２は通常知られているように雄型と雌型のダイスを用いた押出成型法を応用して製作される。
【００１１】
このブーム２の軸線方向においては、図１に示されるように導波器１０、放射器８、反射器９を高周波的に適当な間隔を隔てた位置に備えている。
導波器１０が設けられているブーム２にあっては、夫々ブーム２の軸線に対して直交する方向に向けて適当な間隔を隔てて、複数個の貫通孔４ａを備える。
この中空ブーム２の管壁４に設けた貫通孔４ａは、中空管状のアンテナ素子６をブームの軸線に直交する方向に貫通させる為の二個一対の管壁孔４ａとなっている。
【００１２】
上記管壁孔４ａ相互間に存在するリブ３は図２〜図５に示されるように、Ｘ字状、放射状等任意な本数が配設されている。このようにブーム２の内部にリブ３が配置されると、曲げに対する強度が増大し、ブーム２のサイズを細く、軽くする上に効果がある。
これらのリブ３に対して図から明らかなように二個一対の管壁孔４ａ、４ａの間に中空管状のアンテナ素子を貫通させる為のリブ孔３ａを備えさせる。
上記二個一対の夫々の管壁孔４ａ、４ａと、その中間にある上記リブ孔３ａには夫々中空管状のアンテナ素子６を貫通させる。そのようにして図１のブーム２には任意複数個のパイプ状のアンテナ素子６が装着されている。
上記アンテナ素子６における上記リブ孔３ａを貫通する部分７ａ又は上記リブ孔３ａの周辺においては、リブにおけるアンテナ素子６の外周面に近い部分が変形され、それによりリブ孔３ａの孔縁の内周面の形状が変形されて、アンテナ素子６の外周面との間において相対的に圧接し、上記アンテナ素子６が抜け止めされるようになっている。
【００１３】
次にブーム２における上記複数の管壁孔（貫通孔）４ａに夫々対応させる数のアンテナ素子６を貫通させた後の固着手段について説明する。
先ず、上記の管壁孔４ａ及びリブ孔３ａにアンテナ素子６を図２（Ａ）、（Ｂ）に示されているように貫通させる。この場合、アンテナ素子６の両端閉塞等の必要な端面処理加工は、作業のし易い場所において、予め能率良く施しておくと、その後の加工が単純化される（複雑にならない）効果がある。
一方、予め図４に示されているような形状で、かつ、硬質材例えば金属材でもって形成された押型２０を用意しておく。
押型２０は、ブーム２の内周面２ａの円弧形状に対応させ、そこへの当接を可能な断面形状の外面２１と、管壁孔（貫通孔）４ａに貫通させたアンテナ素子６の外周面７ａの形状に対応させた断面形状の内面２２と、リブ３の側面３ｂの形状に対応させた断面形状の側面２３、２３とを備える。押型２０の後端には図４に示されるように操作部材２５を着脱自在に一体状に付設しておく。この部材２５は硬質材の棒状のもので、その長さは、図１に示されるブーム２に付設した複数のアンテナ素子６の存在する区間に押型２０を進退操作できるに十分な長さにしてある。部材２５としては、押型２０の先端に細いワイヤーを一体的に付設し、そのワイヤーでもって押型２０をブーム２の内部に引込み、通過路２４を通過させることにより、複数のアンテナ素子６をブーム２に対して夫々止着する作業に用いてもよい。
押型２０の数は、図４に示すように対称的な構成のものが２個１対であれば良い。これらを同時に夫々の通過路２４、２４に挿通し、同時に通過させることによって、押型２０の押圧部２０ｂによって極めて能率よく、リブ３を変形させ、複数のアンテナ素子を次々とリブ孔３ａの孔縁によって固着することができる。しかしながら押型２０の数が１つの場合は、一方の通過路２４を通過させた後、残る他方の通過路２４を通過させることによりブーム２のリブ孔３ａの孔縁に対して複数のアンテナ素子６を固着するようにしても、やはり能率の良い作業ができる。
【００１４】
押型２０の先導側２０ａの断面形状と、後端に近い押圧部２０ｂの断面形状とは、ほぼ相似形であって、先導側２０ａは、符号３１と、３１ａとの比較からも明らかなように、ブーム２の内周面２ａと、アンテナ素子６の外周面７ａと、リブ３の側面３ｂとで囲まれる通過路２４の断面形状よりもやや小さく形成し、通過し易いように形成してある。
後端に近い押圧部２０ｂの断面形状は、この部分によって、リブ３の側面３ｂ、３ｂの中間部を両側に向けて押圧し、リブ３の側面中央部３ｂ当たりを弓なりに湾曲させ、図３（Ｂ）に示されるような湾曲状態に塑性変形させることにより、リブ孔３ａの内周面の形状を変形させ、アンテナ素子６の外周面に圧接させることができるように上記通過路２４の断面形状の形状よりも大きな形状にしてある。
この場合、例えば、側面２３、２３におけるアンテナ素子６の外周面７ａに近い部分２３ａを、上記通過路２４の断面形状の形状に対してやや大きく形成する。するとリブ３の側面におけるリブ孔３ａの内周面に近い部分３ｂは塑性変形し易いので、軽い力で大きく変形させてアンテナ素子６の外周面７ａに対する圧接効果を大きくすることができる。
リブ３の側面３ｂ、３ｂにおけるリブ孔３ａの内周面に近い部分は、押圧部２０ｂの
押圧部分２３ａによって押された場合は、塑性的に僅かに、例えば実施例においては、０．３ｍｍ程度変形押し広げられ、アンテナ素子６の外周面７ａにおいて、４点で食い込み、アンテナ素子６の抜け止めが４点（７ｂ）で行われる。
さらにこのような固着方法によると優れた特長が生じる。上記のように押型２０でもってリブ孔３ａ近くのリブ３を押し広げて、変形させ、アンテナ素子６の外周面７ａに圧接させると、外周面７ａに圧接するリブ孔３ａの孔縁は、図３（Ｂ）に示されるように複数カ所に分散して当接７ｂし、アンテナ素子６の外周面７ａを薄く、軽く形成していても、それを傷めること少なくして、一体化の効果を発揮する。
【００１５】
次に、異なる固着手段としては、押型２０の押圧部２０ｂの断面形状を、リブ３の側面３ｂ、３ｂを両側に向けて押圧できるように大きく形成すると共に、或いは、押圧部２０ｂのリブ３の側面３ｂ、３ｂに対向する部分を大きくすることなく、アンテナ素子６の管壁７に対向させる内面２２を少しだけアンテナ素子６の外周面７ａの側に張り出すように膨出形成しておく（即ち、図４（Ｃ）の高さ寸法３１を僅かに大きくしておく。
そうすると押型２０、２０を、図４（Ａ）に示す状態からブーム２の通過路２４、２４に挿入し、その通過路２４を一気に通過させると、上記リブ３と、リブ３との間に表出する複数のアンテナ素子６の外周面７ａは次々と能率よく押型２０、２０の内面２２、２２で押圧され、各アンテナ素子６の丸い管壁は次々と内側に向けて変形され、僅かに楕円形状となり、リブ孔３ａの内周孔縁に、アンテナ素子６の楕円形状となった外周面７ａの一部が圧接し、各アンテナ素子６をそれの軸線方向に抜け止め出来るようになる。
【００１６】
なお一般的なブームとアンテナ素子の寸法関係は、ブーム（アルミ）２の外径は：２２．２ｍｍ、ブーム２の内径は：２０．２ｍｍ、ブームの管壁及びリブの貫通孔の内径は：８．３ｍｍ、アンテナ素子（アルミ）の外径は：８ｍｍ、アンテナ素子の内径は：７ｍｍ、リブの貫通孔内のアンテナ素子を拡張させた後の外径は：８．３ｍｍ以上が妥当な寸法。
次に押型２０と、通過路２４と、ブーム２と、リブ３の寸法関係は、それらの部材相互の肉厚の変更に伴う曲がり具合いの相関関係によって多少は異なるが、あえて例示すれば押型２０の押圧部２０ｂの断面形状は、高さ寸法３１：６．１ｍｍ、横幅寸法３０：１２．９ｍｍ、内側寸法３２：６．６ｍｍとなる。
しかし以上記載した寸法は、アンテナの用途が異なることによって、ブームの大きさ、アンテナ素子の寸法などが変更される為、それに伴い夫々の寸法は対応して変更しなければならない。
【００１７】
次に、図５の（Ａ）、（Ｂ）に示されるものは、図２のリブ３とは異なる実施例のリブの形状を示すもので、図２におけるＢ−Ｂ位置において切断した場合に対応させた図面を示すものである。
（Ａ）は、断面角形のブーム２の中央部に図示のように×状にリブ３を配したもので、アンテナ素子６はそのリブ３の中央部に設けられた孔３ａを貫通している。アンテナ素子６における上記リブ孔３ａを貫通する部分又は上記リブ孔周辺においては、上記の押型２０と概念的に同じもの（押型２０の周囲の形状は、上記の場合と同様に通過路２４の断面形状に対応させ形成する）を用いて、同様の考えでもって、リブ３の側面３ｂを変形させ、又は、アンテナ素子６の外周を変形させて上記アンテナ素子６が圧接部７ｂにおいて抜け止めされるようにしてある。
【００１８】
（Ｂ）は、断面多角形のブーム２の中央部に図示のように対角線状にリブ３を配したもので、アンテナ素子６はそのリブ３の中央部に設けられた孔３ａを貫通している。アンテナ素子６における上記リブ孔３ａを貫通する部分又は上記リブ孔周辺においては、上記の押型２０と概念的に同じもの（押型２０の周囲の形状は、上記の場合と同様に通過路２４の断面形状に対応させ形成する）を用いて、同様の考えでもって、リブ３の側面３ｂを変形させ、又は、アンテナ素子６の外周を変形させて上記アンテナ素子６が圧接部７ｂにおいて抜け止めされるようにしてある。
なお、図５において前述の図１〜図４のものと機能、性質又は特徴等が同一又は均等構成と考えられる部分には、前述の図１〜図４と同一の符号を付して重複する説明を省略する。
【００１９】
【発明の効果】
以上のように本願発明は、ブーム管内の中央位置にあるリブ３のリブ孔３ａにアンテナ素子６を貫通させ、上記中空管状のアンテナ素子６が貫通するリブ孔３ａの孔縁に近いリブ３を変形させることによって、リブ孔３ａの孔縁の形状を変形させて上記中空管状のアンテナ素子６における外周面７ａに上記リブの孔縁３ａを圧接させて上記アンテナ素子が抜け止めされるようにしたものであるから、
アンテナ製造時において、アンテナ素子６をブームに固着させる作業は、アンテナ素子６の管内のほぼ中間位置あたりのリブ孔３ａの孔縁の形状を変形させれば、アンテナ素子６における外周面７ａは必ずリブ孔３ａの孔縁に圧接する特長がある。
従って、従来のように圧接させる部分がブームの管壁の孔縁４ｂに接近した位置に厳格に制限され、極度の加工精度が要求されていたのに比べて、本願発明の構成は、加工精度が楽になり、加工能率が上がって安価に製造できる製造上の効果がある。
【００２０】
更に本願発明は、ブーム２の管内における中央位置にあるリブ３のリブ孔３ａの孔縁形状を変形させてアンテナ素子の中間を固着７ｂするものであるから、アンテナが暴風雨に晒されて、アンテナ素子６が暴風雨による振動を受けたとき、上記の圧接することによって弱体化した固着部７ｂは、ブーム２の管内の中央位置にあって管壁４により守られており、しかも、固着部７ｂから放射方向に向かうアンテナ素子６の途中７ｃは、上記支点位置となる固着部分７ｂから夫々離れた、管壁の二つの孔縁４ａ、４ａ位置において支えられており、そこの二つの孔縁４ａ、４ａ　がアンテナ素子６の固着部分７ａの振れによる折損を防ぐ為の支柱の役割を果たす効果がある。
このようにして、アンテナ素子６の全体の共振現象を柔らかなものにし、アンテナ素子６におけるブームの管壁の孔縁４ａ、４ａ近くの損傷を防いで、アンテナ素子６の寿命を高めることのできる効果がある。
【図面の簡単な説明】
【図１】アンテナの斜視図。
【図２】（Ａ）は、図１におけるＩ−Ｉ線断面図。（Ｂ）は、Ｂ−Ｂ線断面図。
【図３】（Ａ）は、ブームの管壁内面と、リブと、アンテナ素子の外周面と、押型の押圧部２０ｂの断面形状の関係を示すＢ−Ｂ線位置断面図。（Ｂ）は、リブを変形させてブームの管壁外周面に当接した状態を示すＤ−Ｄ線断面図。
【図４】ブームの内側に形成される一対の通過路と、それに挿入し、その通過路を通過させる押型２０、２０の関係を示す為の図面であって、（Ａ）は、ブームの内側に形成される一対の通過路と、それに挿入し、その通過路を通過させる押型２０、２０の関係を示す一部破断斜視図、（Ｂ）は、押型２０の正面図、（Ｃ）は、押型２０の左側面図、（Ｄ）は、押型２０の右側面図。
【図５】（Ａ）、（Ｂ）は、リブの異なる形状を示すもので、図２におけるＢ−Ｂ位置において切断した場合の図面である。
【図６】従来において、ブームの内側に位置するアンテナ素子の一部を膨出させる為の手段の一例を示す為の図面であって、（Ａ）は、膨出加工寸前の状態を示す縦断面図。（Ｂ）はブームの管壁内面の間際を膨出させた状態を示す縦断面図。
【符号の説明】
１・・・アンテナ、２・・・ブーム、（アーム）、３・・・リブ、４・・・管壁、４ａ・・・管壁孔、４ｂ・・・管壁の孔縁、６・・・アンテナ素子（導波素子）、７・・・管壁、７ａ・・・膨出部、７ｂ・・・圧接部、７ｃ・・・ブームの管壁の孔縁近い部分、８・・・放射器、９・・・反射器、１０・・・導波器、２０・・・押型、２１・・・外面、２２・・・内面、２３・・・側面、２４・・・通過路、２５・・・操作部材。
【図１】
2004120434.tif 000003
【図２】
2004120434.tif 000004
【図３】
2004120434.tif 000005
【図４】
2004120434.tif 000006
【図５】
2004120434.tif 000007
【図６】
2004120434.tif 000008